(57)【要約】      （修正有）【課題】金属を含む医療機器などが手術により埋め込まれた患者が空港で使用することが可能な、医用画像を利用した本人証明システムを提供する。【解決手段】医用画像を利用した本人証明システム１００において、患者側情報提示装置１３０は、ＵＲＬを利用して、インターネットサーバー１４０からレントゲン写真データをダウンロードする患者側ダウンローダー１３３と、ダウンロードされたレントゲン写真データと、復元された本人証明書に含まれた個人情報と、を表示する患者側表示器１３４と、を有する。【選択図】図１
2020144539.tif 000002
【特許請求の範囲】
【請求項１】
患者側データ作成装置と、ＱＲコード提供側装置と、患者側情報提示装置と、インターネットサーバーと、を備えた、医用画像を利用した本人証明システムであって、
前記患者側データ作成装置は、
患者のレントゲン写真データと、前記患者の個人情報と、を含むテンプレートを格納するテンプレート格納器と、
前記テンプレートを送信する患者側送信器と、
を有し、
前記ＱＲコード提供側装置は、
前記患者側データ作成装置から前記送信されたテンプレートを受信するＱＲコード提供側受信器と、
前記テンプレートの前記レントゲン写真データを表示するＱＲコード提供側表示器と、
前記インターネットサーバーへ前記テンプレートの前記レントゲン写真データをアップロードするとともに、前記レントゲン写真データがアップロードされたＵＲＬを獲得するＱＲコード提供側アップローダーと、
前記テンプレートの前記レントゲン写真データと、前記テンプレートの前記個人情報と、を利用して、前記ＵＲＬの前記レントゲン写真データが前記患者の前記レントゲン写真データであることを証明するための本人証明書の作成を支援する本人証明書作成支援器と、
前記ＵＲＬと、前記個人情報と、を含む前記本人証明書のＱＲコードを作成するＱＲコード作成器と、
前記ＱＲコードを送信するＱＲコード提供側送信器と、
を有し、
前記インターネットサーバーには、前記アップロードされたレントゲン写真データが前記ＵＲＬを利用してダウンロード可能であるように蓄積されており、
前記患者側情報提示装置は、
前記ＱＲコード提供側装置から前記送信されたＱＲコードを受信する患者側受信器と、
前記ＱＲコードを解析することにより、前記本人証明書を復元する本人証明書復元器と、
前記ＵＲＬを利用して、前記インターネットサーバーから前記レントゲン写真データをダウンロードする患者側ダウンローダーと、
前記ダウンロードされたレントゲン写真データと、前記復元された本人証明書に含まれた前記個人情報と、を表示する患者側表示器と、
を有することを特徴とする、医用画像を利用した本人証明システム。
【請求項２】
患者側データ作成装置と、ＱＲコード提供側装置と、患者側情報提示装置と、インターネットサーバーと、を備えた、医用画像を利用した本人証明システムであって、
前記患者側データ作成装置は、
前記インターネットサーバーへ患者のレントゲン写真データをアップロードするとともに、前記レントゲン写真データがアップロードされたＵＲＬを獲得する患者側アップローダーと、
前記患者側アップローダーにより前記獲得されたＵＲＬと、前記患者の個人情報と、を含むテンプレートを格納するテンプレート格納器と、
前記テンプレートを送信する患者側送信器と、
を有し、
前記インターネットサーバーには、前記アップロードされたレントゲン写真データが前記ＵＲＬを利用してダウンロード可能であるように蓄積されており、
前記ＱＲコード提供側装置は、
前記患者側データ作成装置から前記送信されたテンプレートを受信するＱＲコード提供側受信器と、
前記受信されたテンプレートに含まれた前記ＵＲＬを利用して、前記インターネットサーバーから前記レントゲン写真データをダウンロードするＱＲコード提供側ダウンローダーと、
前記ダウンロードされたレントゲン写真データを表示するＱＲコード提供側表示器と、
前記ダウンロードされたレントゲン写真データと、前記テンプレートの前記個人情報と、を利用して、前記ＵＲＬの前記レントゲン写真データが前記患者の前記レントゲン写真データであることを証明するための本人証明書の作成を支援する本人証明書作成支援器と、
前記ＵＲＬと、前記個人情報と、を含む前記本人証明書のＱＲコードを作成するＱＲコード作成器と、
前記ＱＲコードを送信するＱＲコード提供側送信器と、
を有し、
前記患者側情報提示装置は、
前記ＱＲコード提供側装置から前記送信されたＱＲコードを受信する患者側受信器と、
前記ＱＲコードを解析することにより、前記本人証明書を復元する本人証明書復元器と、
前記ＵＲＬを利用して、前記インターネットサーバーから前記レントゲン写真データをダウンロードする患者側ダウンローダーと、
前記ダウンロードされたレントゲン写真データと、前記復元された本人証明書に含まれた前記個人情報と、を表示する患者側表示器と、
を有することを特徴とする、医用画像を利用した本人証明システム。
【発明の詳細な説明】
【技術分野】
【０００１】
本発明は、たとえば、セキュリティーゲートでの飛行機搭乗チェック時に利用可能である、医用画像を利用した本人証明システムに関する。
【背景技術】
【０００２】
空港で飛行機を利用する利用客にあっては、搭乗に際し、探知装置によって金属体を所有しているか否かがチェックされる。
【０００３】
このため、検査物体の形状に沿って走査し、該検査物体内に存在している金属体を検出すると共に該金属体の位置を特定する探知装置が、知られている（たとえば、特許文献１参照）。
【先行技術文献】
【特許文献】
【０００４】
【特許文献１】特開２００４−３０１８１２号公報
【発明の概要】
【発明が解決しようとする課題】
【０００５】
ところで、体内の金属が上述された探索装置により検出されるので、金属ボルトのような金属固定物等、さまざまな医療機器の１つないし複数が手術により埋め込まれた患者は、セキュリティーゲートにおいて尋問を受ける可能性が高く、金属物の内容の説明のために、主治医により作成された診断書を提示しなければならない。
【０００６】
しかしながら、本発明者は、患者が紙の診断書を持ち歩くのは不便であり、英語による診断書の作成費用はしばしば高額であることに気付いた。
【０００７】
もちろん、たとえば、人工股関節のイラストおよび英語表示が描かれている人工股関節患者のためのステッカーが配布されているが、このようなステッカーのみの使用では、犯罪者の逃亡などに悪用されるリスクがありうる。
【０００８】
そして、本発明者は、医用画像は、本人証明に利用可能である、患者の氏名および生年月日をともなうことに気付くとともに、ＱＲコード（登録商標）を利用する電子的な本人証明書の利便性は極めて優れていることに想到した。
【０００９】
本発明は、上述された従来の課題を考慮し、金属を含む医療機器などが手術により埋め込まれた患者が空港で使用することができる、医用画像を利用した本人証明システムを提供することを目的とする。
【課題を解決するための手段】
【００１０】
第１の本発明は、患者側データ作成装置と、ＱＲコード提供側装置と、患者側情報提示装置と、インターネットサーバーと、を備えた、医用画像を利用した本人証明システムであって、
前記患者側データ作成装置は、
患者のレントゲン写真データと、前記患者の個人情報と、を含むテンプレートを格納するテンプレート格納器と、
前記テンプレートを送信する患者側送信器と、
を有し、
前記ＱＲコード提供側装置は、
前記患者側データ作成装置から前記送信されたテンプレートを受信するＱＲコード提供側受信器と、
前記テンプレートの前記レントゲン写真データを表示するＱＲコード提供側表示器と、
前記インターネットサーバーへ前記テンプレートの前記レントゲン写真データをアップロードするとともに、前記レントゲン写真データがアップロードされたＵＲＬを獲得するＱＲコード提供側アップローダーと、
前記テンプレートの前記レントゲン写真データと、前記テンプレートの前記個人情報と、を利用して、前記ＵＲＬの前記レントゲン写真データが前記患者の前記レントゲン写真データであることを証明するための本人証明書の作成を支援する本人証明書作成支援器と、
前記ＵＲＬと、前記個人情報と、を含む前記本人証明書のＱＲコードを作成するＱＲコード作成器と、
前記ＱＲコードを送信するＱＲコード提供側送信器と、
を有し、
前記インターネットサーバーには、前記アップロードされたレントゲン写真データが前記ＵＲＬを利用してダウンロード可能であるように蓄積されており、
前記患者側情報提示装置は、
前記ＱＲコード提供側装置から前記送信されたＱＲコードを受信する患者側受信器と、
前記ＱＲコードを解析することにより、前記本人証明書を復元する本人証明書復元器と、
前記ＵＲＬを利用して、前記インターネットサーバーから前記レントゲン写真データをダウンロードする患者側ダウンローダーと、
前記ダウンロードされたレントゲン写真データと、前記復元された本人証明書に含まれた前記個人情報と、を表示する患者側表示器と、
を有することを特徴とする、医用画像を利用した本人証明システムである。
【００１１】
第２の本発明は、患者側データ作成装置と、ＱＲコード提供側装置と、患者側情報提示装置と、インターネットサーバーと、を備えた、医用画像を利用した本人証明システムであって、
前記患者側データ作成装置は、
前記インターネットサーバーへ患者のレントゲン写真データをアップロードするとともに、前記レントゲン写真データがアップロードされたＵＲＬを獲得する患者側アップローダーと、
前記患者側アップローダーにより前記獲得されたＵＲＬと、前記患者の個人情報と、を含むテンプレートを格納するテンプレート格納器と、
前記テンプレートを送信する患者側送信器と、
を有し、
前記インターネットサーバーには、前記アップロードされたレントゲン写真データが前記ＵＲＬを利用してダウンロード可能であるように蓄積されており、
前記ＱＲコード提供側装置は、
前記患者側データ作成装置から前記送信されたテンプレートを受信するＱＲコード提供側受信器と、
前記受信されたテンプレートに含まれた前記ＵＲＬを利用して、前記インターネットサーバーから前記レントゲン写真データをダウンロードするＱＲコード提供側ダウンローダーと、
前記ダウンロードされたレントゲン写真データを表示するＱＲコード提供側表示器と、
前記ダウンロードされたレントゲン写真データと、前記テンプレートの前記個人情報と、を利用して、前記ＵＲＬの前記レントゲン写真データが前記患者の前記レントゲン写真データであることを証明するための本人証明書の作成を支援する本人証明書作成支援器と、
前記ＵＲＬと、前記個人情報と、を含む前記本人証明書のＱＲコードを作成するＱＲコード作成器と、
前記ＱＲコードを送信するＱＲコード提供側送信器と、
を有し、
前記患者側情報提示装置は、
前記ＱＲコード提供側装置から前記送信されたＱＲコードを受信する患者側受信器と、
前記ＱＲコードを解析することにより、前記本人証明書を復元する本人証明書復元器と、
前記ＵＲＬを利用して、前記インターネットサーバーから前記レントゲン写真データをダウンロードする患者側ダウンローダーと、
前記ダウンロードされたレントゲン写真データと、前記復元された本人証明書に含まれた前記個人情報と、を表示する患者側表示器と、
を有することを特徴とする、医用画像を利用した本人証明システムである。
【発明の効果】
【００１２】
本発明により、金属を含む医療機器などが手術により埋め込まれた患者が空港で使用することが可能な、医用画像を利用した本人証明システムを提供することができる。
【図面の簡単な説明】
【００１３】
【図１】本発明における実施の形態の、医用画像を利用した本人証明システムのブロック図
【図２】本発明における実施の形態の、医用画像を利用した本人証明システムのＱＲコード図形パターンの説明図
【図３】本発明における実施の形態の、医用画像を利用した本人証明システムのＱＲコード提供側装置の表示画面の説明図
【図４】本発明における実施の形態の、医用画像を利用した本人証明システムの患者側情報提示装置の表示画面の説明図
【図５】本発明における変形例の実施の形態の、医用画像を利用した本人証明システムのブロック図
【発明を実施するための形態】
【００１４】
以下、図面を参照しながら、本発明における実施の形態について詳細に説明する。
【００１５】
図１を主として参照しながら、本実施の形態の、医用画像を利用した本人証明システム１００の構成および動作について具体的に説明する。
【００１６】
ここに、図１は、本発明における実施の形態の、医用画像を利用した本人証明システム１００のブロック図である。
【００１７】
本実施の形態の、医用画像を利用した本人証明システム１００の動作などについて説明しながら、本発明に関連した発明の、医用画像を利用した本人証明方法についても説明する。
【００１８】
医用画像を利用した本人証明システム１００は、患者側データ作成装置１１０と、ＱＲコード提供側装置１２０と、患者側情報提示装置１３０と、インターネットサーバー１４０と、を有する。
【００１９】
たとえば、患者側データ作成装置１１０はノートブック型パーソナルコンピューターとして実現され、ＱＲコード提供側装置１２０はデスクトップ型パーソナルコンピューターとして実現され、患者側情報提示装置１３０はスマートフォンとして実現されるが、もちろん、患者側データ作成装置１１０および患者側情報提示装置１３０が共通なタブレット型パーソナルコンピューターなどとして実現されてもよい。
【００２０】
患者側情報提示装置１３０に保持されているＱＲコードは、患者による証明書として利用可能な本人証明書の表示指示にともない、たとえば、セキュリティーゲートでの飛行機搭乗チェック時に自動的に表示される。ＱＲコードはスマートフォンにインストールされたソフトウェアなどを利用して主にテキストデータとして復元され、レントゲン写真データはＱＲコードに含まれたＵＲＬへの自動的なアクセスによりダウンロードされ、写真およびテキストを含む本人証明書が表示される。
【００２１】
図２に示されているように、ＱＲコードはＱＲコード図形パターンＰを利用して表示されてもよい。
【００２２】
ここに、図２は、本発明における実施の形態の、医用画像を利用した本人証明システム１００のＱＲコード図形パターンＰの説明図である。
【００２３】
本実施の形態においては、ＱＲコード表示もＱＲコード読取りも不要であるが、本人証明書そのものの送受信と比べて、ＱＲコードの送受信は個人情報の秘匿性について優れている。このため、ＱＲコード化は、少なくともスマートフォン紛失などの対応策として有効である。
【００２４】
後に詳述するように、本人証明書の携帯性および保管性はＱＲコード化にともなって向上し、ＱＲコード提供側の会社の担当者（医師であることが望ましい）が本人証明書を作成するので、効率性および迅速性のみならず廉価性も促進され、任意の病院で取得されるレントゲン写真データが本人証明書に付随するので、信頼性も向上する。
【００２５】
患者側データ作成装置１１０は、テンプレート格納器１１１と、患者側送信器１１２と、を有する。
【００２６】
テンプレート格納器１１１は、患者のレントゲン写真データと、患者の個人情報と、を含むテンプレートを格納する。患者側送信器１１２は、テンプレートを送信する。
【００２７】
パスポートなどに記載されている患者の個人情報とともにテンプレートに書き込まれて送信されるレントゲン写真データは、患者の手術が行われた病院で取得されてもよいし、たとえば、患者の自宅に近い病院で取得されてもよい。
【００２８】
ＱＲコード提供側装置１２０は、ＱＲコード提供側受信器１２１と、ＱＲコード提供側表示器１２２と、本人証明書作成支援器１２３と、ＱＲコード作成器１２４と、ＱＲコード提供側送信器１２５と、ＱＲコード提供側アップローダー１２６と、を有する。
【００２９】
ＱＲコード提供側受信器１２１は、患者側データ作成装置１１０から送信されたテンプレートを受信する。ＱＲコード提供側表示器１２２は、テンプレートのレントゲン写真データを表示する。ＱＲコード提供側アップローダー１２６は、インターネットサーバー１４０へテンプレートのレントゲン写真データをアップロードするとともに、レントゲン写真データがアップロードされたＵＲＬを獲得する。本人証明書作成支援器１２３は、テンプレートのレントゲン写真データと、テンプレートの個人情報と、を利用して、ＵＲＬのレントゲン写真データが患者のレントゲン写真データであることを証明するための本人証明書の作成を支援する。ＱＲコード作成器１２４は、ＵＲＬと、個人情報と、を含む本人証明書のＱＲコードを作成する。ＱＲコード提供側送信器１２５は、ＱＲコードを送信する。
【００３０】
図３に示されているように、患者の住所および氏名などとともに、ＵＲＬのレントゲン写真データが患者の脚部のレントゲン写真データであることを証明するための本人証明書が、たとえば、ＱＲコード提供側表示器１２２により表示されたレントゲン写真データをチェックしたＱＲコード提供側の会社の担当者の判断により作成される。
【００３１】
ここに、図３は、本発明における実施の形態の、医用画像を利用した本人証明システム１００のＱＲコード提供側装置１２０の表示画面の説明図である。
【００３２】
データフォーマットが決められているテンプレートが利用されるので、本人証明書の作成はほぼ自動的に行われる。
【００３３】
完全に自動的な本人証明書の作成を目指して、レントゲン写真データの脚部へ埋め込まれた人工物である医療機器の材質はＡＩを利用して判断されてもよい。たとえば、このような医療機器は、上述された人工関節に限らず、脳血管手術または消化器手術のクリップ、および心臓ペースメーカなどである。医用画像を利用した本人証明システム１００の広範な利用のために、レントゲン写真データ、ならびに漢字による氏名およびアラビア数字による生年月日などのような個人情報の自動的な処理を利用する本人証明書の作成が、期待される。
【００３４】
レントゲン写真データがアップロードされたＵＲＬ情報には、英語などのような外国語によるさまざまな情報が付加されてもよい。テンプレートのデータフォーマットは決められているので、自動翻訳なども容易に実現される。
【００３５】
ＱＲコードは、患者の自宅にあるデスクトップ型パーソナルコンピューターなどへ送信されてもよいが、面倒なデータの移動が不要であるように、典型的にはスマートフォンとして実現される携帯患者側情報提示装置１３０へ直接的に送信されることが望ましい。
【００３６】
インターネットサーバー１４０には、アップロードされたレントゲン写真データがＵＲＬを利用してダウンロード可能であるように蓄積されている。
【００３７】
多くの患者のレントゲン写真データが、インターネットサーバー１４０に格納されている。各々のレントゲン写真データには、ＵＲＬが付与されている。
【００３８】
レントゲン写真データの管理、整理および検索の利便性などを考慮して、オンラインストレージサービスが提供されるウェブサイトへのアップロードが利用されてもよい。
【００３９】
ＱＲコード提供側の会社の担当者のみならず、患者自身も、レントゲン写真データへ自由にアクセスすることができる。このため、レントゲン写真データの用途は、ＱＲコードを利用する本人証明書の作成に限らない。たとえば、患者は、インターネットサーバー１４０に蓄積されているレントゲン写真データをセカンドオピニオンの取得に利用してもよい。
【００４０】
患者側情報提示装置１３０は、患者側受信器１３１と、本人証明書復元器１３２と、患者側ダウンローダー１３３と、患者側表示器１３４と、を有する。
【００４１】
患者側受信器１３１は、ＱＲコード提供側装置１２０から送信されたＱＲコードを受信する。本人証明書復元器１３２は、ＱＲコードを解析することにより、本人証明書を復元する。患者側ダウンローダー１３３は、ＵＲＬを利用して、インターネットサーバー１４０からレントゲン写真データをダウンロードする。患者側表示器１３４は、ダウンロードされたレントゲン写真データと、復元された本人証明書に含まれた個人情報と、を表示する。
【００４２】
図４に示されているように、患者の住所および氏名などとともに、ＵＲＬのレントゲン写真データが患者の脚部のレントゲン写真データであることを証明するための本人証明書が表示される。
【００４３】
ここに、図４は、本発明における実施の形態の、医用画像を利用した本人証明システム１００の患者側情報提示装置１３０の表示画面の説明図である。
【００４４】
上述された本実施の形態の、医用画像を利用した本人証明システム１００においては、ＱＲコード提供側装置１２０がＱＲコード提供側アップローダー１２６を有する。
【００４５】
しかしながら、図５に示されているように、変形例の実施の形態の、医用画像を利用した本人証明システム２００においては、患者側データ作成装置２１０が患者側アップローダー２１３を有し、ＱＲコード提供側装置２２０がＱＲコード提供側アップローダーを有せず代わりにＱＲコード提供側ダウンローダー２２６を有してもよい。
【００４６】
ここに、図５は、本発明における変形例の実施の形態の、医用画像を利用した本人証明システム２００のブロック図である。
【００４７】
医用画像を利用した本人証明システム２００は、患者側データ作成装置２１０と、ＱＲコード提供側装置２２０と、患者側情報提示装置２３０と、インターネットサーバー２４０と、を有する。
【００４８】
患者側データ作成装置２１０は、テンプレート格納器２１１と、患者側送信器２１２と、患者側アップローダー２１３と、を有する。
【００４９】
患者側アップローダー２１３は、インターネットサーバー２４０へ患者のレントゲン写真データをアップロードするとともに、レントゲン写真データがアップロードされたＵＲＬを獲得する。テンプレート格納器２１１は、患者側アップローダー２１３により獲得されたＵＲＬと、患者の個人情報と、を含むテンプレートを格納する。患者側送信器２１２は、テンプレートを送信する。
【００５０】
患者側においてはインターネットサーバー２４０へレントゲン写真データをアップロードするための知識が必要であるが、ＱＲコード提供側においてはインターネットサーバー２４０へレントゲン写真データをアップロードするための手間が不要である。
【００５１】
インターネットサーバー２４０には、アップロードされたレントゲン写真データがＵＲＬを利用してダウンロード可能であるように蓄積されている。
【００５２】
ＱＲコード提供側装置２２０は、ＱＲコード提供側受信器２２１と、ＱＲコード提供側表示器２２２と、本人証明書作成支援器２２３と、ＱＲコード作成器２２４と、ＱＲコード提供側送信器２２５と、ＱＲコード提供側ダウンローダー２２６と、を有する。
【００５３】
ＱＲコード提供側受信器２２１は、患者側データ作成装置２１０から送信されたテンプレートを受信する。ＱＲコード提供側ダウンローダー２２６は、受信されたテンプレートに含まれたＵＲＬを利用して、インターネットサーバー２４０からレントゲン写真データをダウンロードする。ＱＲコード提供側表示器２２２は、ダウンロードされたレントゲン写真データを表示する。本人証明書作成支援器２２３は、ダウンロードされたレントゲン写真データと、テンプレートの個人情報と、を利用して、ＵＲＬのレントゲン写真データが患者のレントゲン写真データであることを証明するための本人証明書の作成を支援する。ＱＲコード作成器２２４は、ＵＲＬと、個人情報と、を含む本人証明書のＱＲコードを作成する。ＱＲコード提供側送信器２２５は、ＱＲコードを送信する。
【００５４】
ＱＲコード提供側においては、インターネットサーバー２４０へレントゲン写真データをアップロードするための手間が不要であるが、たとえば、レントゲン写真データをＱＲコード提供側の会社の担当者がチェックすることができるように、レントゲン写真データのみならずＱＲコード提供側表示器２２２も必要であると考えられる。
【００５５】
患者側情報提示装置２３０は、患者側受信器２３１と、本人証明書復元器２３２と、を有する。
【００５６】
患者側受信器２３１は、ＱＲコード提供側装置２２０から送信されたＱＲコードを受信する。本人証明書復元器２３２は、ＱＲコードを解析することにより、本人証明書を復元する。患者側ダウンローダー２３３は、ＵＲＬを利用して、インターネットサーバー２４０からレントゲン写真データをダウンロードする。患者側表示器２３４は、ダウンロードされたレントゲン写真データと、復元された本人証明書に含まれた個人情報と、を表示する。
【００５７】
なお、本発明に関連した発明のプログラムは、上述された本発明に関連した発明の、医用画像を利用した本人証明方法の全部または一部のステップ（または工程、動作および作用など）の動作をコンピュータに実行させるためのプログラムであって、コンピュータと協働して動作するプログラムである。
【００５８】
また、本発明に関連した発明の記録媒体は、上述された本発明に関連した発明の、医用画像を利用した本人証明方法の全部または一部のステップ（または工程、動作および作用など）の全部または一部の動作をコンピュータに実行させるためのプログラムを記録した記録媒体であり、読取られたプログラムがコンピュータと協働して利用されるコンピュータ読取り可能な記録媒体である。
【００５９】
なお、上述された「一部のステップ（または工程、動作および作用など）」は、それらの複数のステップの内の一つまたはいくつかのステップを意味する。
【００６０】
また、上述された「ステップ（または工程、動作および作用など）の動作」は、上述されたステップの全部または一部の動作を意味する。
【００６１】
また、本発明に関連した発明のプログラムの一利用形態は、インターネット、光、電波または音波などのような伝送媒体の中を伝送され、コンピュータにより読取られ、コンピュータと協働して動作するという形態であってもよい。
【００６２】
また、記録媒体としては、ＲＯＭ（Ｒｅａｄ  Ｏｎｌｙ  Ｍｅｍｏｒｙ）などが含まれる。
【００６３】
また、コンピュータは、ＣＰＵ（Ｃｅｎｔｒａｌ  Ｐｒｏｃｅｓｓｉｎｇ  Ｕｎｉｔ）などのような純然たるハードウェアに限らず、ファームウェア、ＯＳ（Ｏｐｅｒａｔｉｎｇ  Ｓｙｓｔｅｍ）、そしてさらに周辺機器を含んでもよい。
【００６４】
なお、上述されたように、本発明の構成は、ソフトウェア的に実現されてもよいし、ハードウェア的に実現されてもよい。
【産業上の利用可能性】
【００６５】
本発明における、医用画像を利用した本人証明システムは、金属を含む医療機器などが手術により埋め込まれた患者が空港で使用することができ、たとえば、セキュリティーゲートでの飛行機搭乗チェック時に利用可能である、医用画像を利用した本人証明システムに利用する目的に有用である。
【符号の説明】
【００６６】
１００  医用画像を利用した本人証明システム
１１０  患者側データ作成装置
１１１  テンプレート格納器
１１２  患者側送信器
１２０  ＱＲコード提供側装置
１２１  ＱＲコード提供側受信器
１２２  ＱＲコード提供側表示器
１２３  本人証明書作成支援器
１２４  ＱＲコード作成器
１２５  ＱＲコード提供側送信器
１２６  ＱＲコード提供側アップローダー
１３０  患者側情報提示装置
１３１  患者側受信器
１３２  本人証明書復元器
１３３  患者側ダウンローダー
１３４  患者側表示器
１４０  インターネットサーバー
２００  医用画像を利用した本人証明システム
２１０  患者側データ作成装置
２１１  テンプレート格納器
２１２  患者側送信器
２１３  患者側アップローダー
２２０  ＱＲコード提供側装置
２２１  ＱＲコード提供側受信器
２２２  ＱＲコード提供側表示器
２２３  本人証明書作成支援器
２２４  ＱＲコード作成器
２２５  ＱＲコード提供側送信器
２２６  ＱＲコード提供側ダウンローダー
２３０  患者側情報提示装置
２３１  患者側受信器
２３２  本人証明書復元器
２３３  患者側ダウンローダー
２３４  患者側表示器
２４０  インターネットサーバー
Ｐ  ＱＲコード図形パターン
【図１】
2020144539.tif 000003
【図２】
2020144539.tif 000004
【図３】
2020144539.tif 000005
【図４】
2020144539.tif 000006
【図５】
2020144539.tif 000007